(57)【特許請求の範囲】
【請求項１】
バイオマス原料を鉛直軸方向上方から供給する原料供給管を有する粉砕装置本体と、
供給されたバイオマス原料が載置されるテーブルライナを有する粉砕テーブルと、
該粉砕テーブルを回転駆動する駆動部と、
前記粉砕テーブルの回転と連動して作動し、前記バイオマス原料を押圧力により粉砕する粉砕ローラと、
前記粉砕テーブルの外周側下方から上方に向けて上昇流を形成し、粉砕したバイオマス粉体を気流搬送する搬送ガスを噴出する送風手段と、
粉砕装置本体の頂部側に設けられ、前記搬送ガスに同伴されたバイオマス微粒を分級する分級器とを具備すると共に、
前記粉砕テーブルのテーブルライナの表面に、その内周部から外縁側に向けて放射状のテーブル溝が複数形成されると共に、その溝の先端がテーブルライナの中央部までとする、又はテーブル溝を形成した粉砕領域を確定する溝の形成距離（Ｒ1）と、溝の形成されていない距離（Ｒ2）との関係を、テーブルライナの半径方向の長さをＲとした場合、１／２Ｒ≧Ｒ1≧Ｒ2＞１／３Ｒとする条件式を満たすテーブルライナとすることを特徴とするバイオマス粉砕装置。 
【請求項２】
請求項１において、
前記テーブル溝は、その先端側が粉砕テーブルの回転方向に向かって傾斜していることを特徴とするバイオマス粉砕装置。 
【請求項３】
請求項１又は２において、
前記テーブル溝は、内周部から中央部にかけて徐々にその幅が狭くなると共に、その深さが徐々に浅くなることを特徴とするバイオマス粉砕装置。 
【請求項４】
請求項１乃至３のいずれか一つにおいて、
前記テーブル溝の断面形状は、粉砕テーブルの移動方向の斜面はなだらかに傾斜すると共に、その対向する面は略鉛直面であることを特徴とするバイオマス粉砕装置。 
【請求項５】
請求項１乃至４のいずれか一つにおいて、
前記粉砕ローラの表面に、そのテーブルライナに対応する先端を基点とし、ローラ中央部に亙って放射状のローラ溝を形成すると共に、前記テーブル溝とその溝の傾斜方向が異なることを特徴とするバイオマス粉砕装置。 
【請求項６】
請求項５において、
前記ローラ溝は、その先端側が粉砕ローラの回転方向と逆方向に向かって傾斜していることを特徴とするバイオマス粉砕装置。 
【請求項７】
請求項５又は６において、
前記ローラ溝は、内周部から中央部にかけて徐々にその幅が狭くなると共に、その深さが浅くなることを特徴とするバイオマス粉砕装置。 
【請求項８】
請求項５乃至７のいずれか一つにおいて、
前記ローラ溝の断面形状は、粉砕ローラの回転方向の斜面はなだらかに傾斜すると共に、その対向する面は略鉛直面であることを特徴とするバイオマス粉砕装置。 
【請求項９】
請求項１乃至８のいずれか一つのバイオマス粉砕装置と、
石炭原料を粉砕する石炭粉砕装置と、
バイオマス粉砕装置で粉砕されたバイオマス粉体と、石炭粉砕装置で粉砕された石炭粉体とが供給されるボイラ火炉とを具備することを特徴とするバイオマス・石炭混焼システム。 
【発明の詳細な説明】
【技術分野】
【０００１】
本発明は、バイオマス固形物を粉砕して微粉化するバイオマス粉砕装置及びバイオマス・石炭混焼システムに関する。
【背景技術】
【０００２】
近年、地球温暖化の観点からＣＯ2排出の削減が推進されている。特に、発電用ボイラ等の燃焼設備においては、燃料として石炭や重油等の化石燃料が用いられることが多いが、この化石燃料は、ＣＯ2排出の問題から地球温暖化の原因となり、地球環境保全の見地からその使用が規制されつつある。また化石燃料の枯渇化の観点からもこれに代替するエネルギ資源の開発、実用化が求められている。そこで、化石燃料の代替として、バイオマスを用いた燃料の利用促進が図られている。バイオマスとは、光合成に起因する有機物であって、木質類、草木類、農作物類、厨芥類等のバイオマスがある。このバイオマスを燃料化処理することにより、バイオマスをエネルギ源又は工業原料として有効に利用することができる。
【０００３】
再生可能エネルギであるバイオマスの高効率利用の観点から、バイオマスを燃料として用いることが行われている。燃料として用いる方法の一つに、バイオマス固形物を粉砕して微粉化し、微粉炭焚きボイラに供給して燃料として用いるものがある。これは、石炭とバイオマスとをそれぞれを単独で粉砕する単独粉砕方式と、石炭とバイオマスとを混合してから粉砕する混合粉砕方式とが知られている。何れの方式においても、バイオマス固形物を粉砕するためのバイオマス粉砕装置が必要であるが、従来の石炭焚きボイラで用いられている既設ミルを用いようとした場合、既設ミルの能力制約から石炭に対する混焼率は最大でも３ｃａｌ％程度に留まっていた。
【０００４】
従来のバイオマスを石炭焚きボイラ用の粒径に粉砕するには、石炭粉砕機を流用したものを用いており、例えばバイオマス原料を粉砕装置内の粉砕テーブルに投入し、粉砕テーブルに連動して回転される粉砕ローラにより粉砕・乾燥し、分級している。そして、微粉砕されたバイオマスをバーナ側へ気流搬送している（特許文献１、特許文献２参照）。
【先行技術文献】
【特許文献】
【０００５】
【特許文献１】特開２００４−３４７２４１号公報
【特許文献２】特開２００９−２９１６９２号公報
【発明の概要】
【発明が解決しようとする課題】
【０００６】
しかしながら、従来技術の石炭粉砕装置を用いて木質系バイオマス原料を粉砕する場合、以下のような問題がある。
【０００７】
１）  木質系バイオマス原料は、石炭と異なり圧縮性を有するので、粉砕ローラと粉砕テーブルとに噛み込まれて粉砕される場合、バイオマス原料に対して圧力が十分に伝わらず粉砕しにくい、という問題がある。
【０００８】
また、バイオマス原料は、その水分含有量が高く、かつ繊維質であるため、粉砕ローラと粉砕テーブルとに挟まれ、押しつぶされた場合、粉砕されたバイオマス粉体（微粉）がお互いに絡みあって、分離しにくい性質がある。
【０００９】
このため、従来技術の石炭粉砕装置で粉砕しても、粉砕されたバイオマス粉体の粗粒と微粉とが固まり、移動しにくくなる結果、過粉砕され、石炭粉砕の場合に対し、バイオマス原料の粉砕処理量が大幅に低下し、粉砕装置における消費動力が増加する、という問題がある。
【００１０】
さらに、石炭と混粉砕した場合においても、一般的に５〜１０％を木質系バイオマス原料の混合限度までに混粉砕率を上げると、微粉粒度が低下し、バーナにおける燃焼効率が悪化する、という問題がある。
また、粉砕装置の動力が増加するため、粉砕装置の容量を下げて運転する必要がある。
【００１１】
２）  また、木質系バイオマス原料を従来型石炭焚きボイラで浮遊燃焼させるには、平均粒径を０．５ｍｍ〜１ｍｍ程度に粉砕する必要があるが、例えばハンマーミル又はカッターミルでこのサイズに大量粉砕するのは、効率が悪い、という問題がある。
【００１２】
３）  さらに、十分に粉砕されない木質系バイオマス粉体（粗粒）は、その形状が不定形であり、相互に絡まりやすいため、粉砕ローラ外周部から排出され、粉砕テーブル周りに設けた噴出空気流により上昇されても、粗粒と微粉の分離が容易でなく、燃え切りに必要な粒径以上に過粉砕される比率が増加し、粉砕効力が増加する、という問題がある。
【００１３】
そこで、従来の石炭粉砕装置を単に流用する粉砕装置とは異なり、木質系バイオマス原料を効率的に且つ安定的に粉砕することができるバイオマス粉砕装置の出現が切望されている。
【００１４】
本発明は、前記問題に鑑み、バイオマス原料を効率的に且つ安定的に粉砕することができるバイオマス粉砕装置及びバイオマス・石炭混焼システムを提供することを課題とする。
【課題を解決するための手段】
【００１５】
上述した課題を解決するための本発明の第１の発明は、バイオマス原料を鉛直軸方向上方から供給する原料供給管を有する粉砕装置本体と、供給されたバイオマス原料が載置されるテーブルライナを有する粉砕テーブルと、該粉砕テーブルを回転駆動する駆動部と、前記粉砕テーブルの回転と連動して作動し、前記バイオマス原料を押圧力により粉砕する粉砕ローラと、前記粉砕テーブルの外周側下方から上方に向けて上昇流を形成し、粉砕したバイオマス粉体を気流搬送する搬送ガスを噴出する送風手段と、粉砕装置本体の頂部側に設けられ、前記搬送ガスに同伴されたバイオマス微粒を分級する分級器とを具備すると共に、前記粉砕テーブルのテーブルライナの表面に、その内周部から外縁側に向けて放射状のテーブル溝が複数形成されると共に、その溝の先端がテーブルライナの中央部までとする、又はテーブル溝を形成した粉砕領域を確定する溝の形成距離（Ｒ1）と、溝の形成されていない距離（Ｒ2）との関係を、テーブルライナの半径方向の長さをＲとした場合、１／２Ｒ≧Ｒ1≧Ｒ2＞１／３Ｒとする条件式を満たすテーブルライナとすることを特徴とするバイオマス粉砕装置にある。
【００１６】
第２の発明は、第１の発明において、前記テーブル溝は、その先端側が粉砕テーブルの回転方向に向かって傾斜していることを特徴とするバイオマス粉砕装置にある。
【００１７】
第３の発明は、第１又は２の発明において、前記テーブル溝は、内周部から中央部にかけて徐々にその幅が狭くなると共に、その深さが徐々に浅くなることを特徴とするバイオマス粉砕装置にある。
【００１８】
第４の発明は、第１乃至３のいずれか一つの発明において、前記テーブル溝の断面形状は、粉砕テーブルの移動方向の斜面はなだらかに傾斜すると共に、その対向する面は略鉛直面であることを特徴とするバイオマス粉砕装置にある。
【００１９】
第５の発明は、第１乃至４のいずれか一つの発明において、前記粉砕ローラの表面に、そのテーブルライナに対応する先端を基点とし、ローラ中央部に亙って放射状のローラ溝を形成すると共に、前記テーブル溝とその溝の傾斜方向が異なることを特徴とするバイオマス粉砕装置にある。
【００２０】
第６の発明は、第５の発明において、前記ローラ溝は、その先端側が粉砕ローラの回転方向と逆方向に向かって傾斜していることを特徴とするバイオマス粉砕装置にある。
【００２１】
第７の発明は、第５又は６の発明において、前記ローラ溝は、内周部から中央部にかけて徐々にその幅が狭くなると共に、その深さが浅くなることを特徴とするバイオマス粉砕装置にある。
【００２２】
第８の発明は、第５乃至７のいずれか一つの発明において、前記ローラ溝の断面形状は、粉砕ローラの回転方向の斜面はなだらかに傾斜すると共に、その対向する面は略鉛直面であることを特徴とするバイオマス粉砕装置にある。
【００２３】
第９の発明は、第１乃至８のいずれか一つのバイオマス粉砕装置と、石炭原料を粉砕する石炭粉砕装置と、バイオマス粉砕装置で粉砕されたバイオマス粉体と、石炭粉砕装置で粉砕された石炭粉体とが供給されるボイラ火炉とを具備することを特徴とするバイオマス・石炭混焼システムにある。
【発明の効果】
【００２４】
本発明によれば、バイオマス原料が供給されると、該テーブル溝に対して、大きい粒子の原料が容易に入り込むこととなり、粉砕ローラによる押圧力と共に、両者の剪断作用が働く結果、粉砕が良好となるので、バイオマス原料を効率的に且つ安定的に粉砕することができる。
【図面の簡単な説明】
【００２５】
【図１】図１は、実施例１に係るバイオマス粉砕装置の概略図である。
【図２】図２は、実施例１に係るバイオマス粉砕装置の断面概略図である。
【図３−１】図３−１は、テーブルライナの平面図である。
【図３−２】図３−２は、その斜視図である。
【図３−３】図３−３は、図３−２の溝の部分断面図である。
【図３−４】図３−４は、他の溝形状の斜視図である。
【図４】図４は、実施例１に係るバイオマス粉砕装置のテーブルライナと粉砕ローラとの概略構成図である。
【図５】図５は、実施例２に係るバイオマス粉砕装置のテーブルライナと粉砕ローラとの概略構成図である。
【図６−１】図６−１は、粉砕ローラの正面図である。
【図６−２】図６−２は、その平面図である。
【図６−３】図６−３は、図６−２の溝の部分断面図である。
【図７−１】図７−１は、実施例２に係る他のローラ溝の溝形状の斜視図である。
【図７−２】図７−２は、実施例２に係る他のローラ溝の溝形状の斜視図である。
【図８】図８は、実施例３に係るボイラ火炉を備えたバイオマス・石炭混焼システムの概略図である。
【発明を実施するための形態】
【００２６】
以下、この発明につき図面を参照しつつ詳細に説明する。なお、この実施例によりこの発明が限定されるものではない。また、下記実施例における構成要素には、当業者が容易に想定できるもの、あるいは実質的に同一のものが含まれる。
【実施例１】
【００２７】
本発明による実施例１に係るバイオマス粉砕装置について、図面を参照して説明する。図１は、本実施例に係るバイオマス粉砕装置の概略図である。図２は、実施例１に係るバイオマス粉砕装置の断面概略図である。
図１及び図２に示すように、本実施例に係るバイオマス粉砕装置１０は、バイオマス原料１１を鉛直軸方向上方から供給する原料供給管１２を有する粉砕装置本体１３と、供給されたバイオマス原料１１が載置される粉砕テーブル１４と、該粉砕テーブル１４を回転駆動する駆動部１５と、前記粉砕テーブル１４の回転と連動して作動し、前記バイオマス原料１１を押圧力により粉砕する粉砕ローラ１６と、前記粉砕テーブル１４の外周側下方から上方に向けて上昇流を形成し、粉砕したバイオマス粉体１７を気流搬送する搬送ガス１８を噴出する送風手段（図示せず）と、粉砕装置本体１３の頂部内側に設けられ、前記搬送ガス１８に同伴されたバイオマス粉体１７を分級する分級器１９とを具備すると共に、前記粉砕テーブル１４のテーブルライナ１４ｂの表面に、その内周部から外縁側に向けて放射状のテーブル溝３１が複数形成されると共に、その溝の先端３１ａがテーブルライナ中央部近傍までとしている。
【００２８】
前記粉砕テーブル１４は、略円形台状に形成され、該粉砕テーブル１４の上面は、該テーブル上に載置されたバイオマス固形物がこぼれ落ちないように凹状に形成されると共に、その外周側に堰１４ａを設けている。また、粉砕テーブル１４の摩耗を予防するために、交換自在なテーブルライナ１４ｂが設けられている。
なお、粉砕テーブル１４は、テーブル下側から延設される駆動軸（図示せず）にモータ（図示せず）が接続され、該モータによって粉砕テーブル１４を回転駆動するようになっている。
【００２９】
前記粉砕ローラ１６は、粉砕テーブル１４の中心より外側にずれた位置の上方に設けられている。該粉砕ローラ１６は、粉砕テーブル１４の回転と連動して回転しながら、粉砕テーブル１４のテーブルライナ１４ｂ上に載置されたバイオマス原料１１に押圧力を作用せしめてこれを粉砕する。
このとき、前記モータには、減速機が前記粉砕ローラ１６には粉砕荷重を変化させる可変油圧源又はスプリングが接続されており、粉砕ローラ１６の粉砕荷重を無段階若しくは段階的に減増させ、粉砕動力が定格範囲内、好ましくはほぼ一定になるように制御装置（不図示）で制御可能に構成されている。
【００３０】
前記原料供給管１２は、装置本体１３の天板１３ａに鉛直軸方向に貫挿され、バイオマス原料１１を粉砕テーブル１４上に落下させるように設置されている。
【００３１】
前記分級器１９は、搬送ガス（一次空気）１８により風力分級（一次分級）を通過した後のやや細かな粉粒体を二次分級するものであり、固定式分級器（サイクロンセパレータ）或いは回転式分級器（ロータリーセパレータ）等が用いられる。
本実施例の分級器１９では、漏斗状分級器としており、図示しない開口に設けた分級羽根により、粗粒と微粒とを分級している。分級された粗粒は粉砕テーブル１４側に落下して、再度粉砕がなされる。
【００３２】
前記搬送ガス（一次空気）１８を供給する送風手段は、所定流量で且つ所定温度の一次空気を、装置本体１３内に粉砕テーブル１４の周囲から供給するものであり、空気流量の調整にはダンパ等が用いられる。また、必要に応じて温度調整手段を備える。空気流量或いは温度は、図示しない制御装置により適宜制御される。
【００３３】
前記粉砕テーブル１４の外周縁と装置本体１３の内周面との間には隙間Ｄが設けられており、前記送風手段から供給された搬送ガス（一次空気）１８は、この隙間Ｄを介して粉砕テーブル１４の上方側に吹き抜けるようになっている。なお、前記隙間Ｄに偏流ベーン（図示せず）を設けるようにしてもよい。該偏流ベーンは、一次空気の吹き出し方向を調整するものであり、さらに、偏流ベーンの角度を任意に制御可能としてもよい。
【００３４】
前記分級器１９と略同一形状の漏斗状整流部材２３は、装置本体１３の上部側に、分級器１９と所定間隔をもって固定され、下方に向けて延設されている。この漏斗状整流部材２３は、分級器１９で分級されたバイオマス粉体（粗粒）を再度粉砕テーブル１４へ落下させるものである。漏斗状整流部材２３は、その上部から下部に向けて拡縮している分級されたバイオマス粉体（粗粒）を受ける漏斗部２３ａと、原料供給管１２と所定間隔を持って、バイオマス粉体（粗粒）を落下させる筒部２３ｂとから形成されている。
なお、該漏斗状整流部材２３の筒部２３ｂの下端部はその径が縮小されており、分級されて落下するバイオマス粉体（粗粒）の拡散を防止している。
【００３５】
図３−１〜図３−４は、テーブル溝の一例を示す概念図であり、図３−１はテーブルライナの平面図、図３−２はその斜視図、図３−３は図３−２の溝の部分断面図である。図３−４は他の溝形状の斜視図である。図４は、本実施例に係るバイオマス粉砕装置のテーブルライナと粉砕ローラとの概略構成図である。
図３−１〜３−３及び図４に示すように、本実施例では、前記粉砕テーブル１４のテーブルライナ１４ｂの表面に、その内周部から中央部に亙って放射状のテーブル溝３１を形成している。
このため、バイオマス原料１１が供給されると、該テーブル溝３１に対して、テーブルライナ１４ｂの内周部の溝基点３１ｂから溝中央部に亙って大きい粒子の原料が容易に入り込むこととなり、粉砕ローラ１６による押圧力と共に、両者の剪断作用が働く結果、粉砕が良好となる。
【００３６】
このテーブル溝３１は、図３−１に示すように、テーブルライナ１４ｂの上面にその外縁部の堰１４ａに向かって延びているが、該テーブル溝３１の先端３１ａは、テーブルライナ１４ｂの中央部までとしている。
これは、テーブル溝３１の形成を溝基点３１ｂから先端３１ａをテーブルライナ１４ｂの途中の中央部までとすることで、溝形成部分が粗粉砕領域２４Ａを形成すると共に、溝形成がなされていない平面部分が微粉砕領域２４Ｂを形成することとなり、全面に溝が形成されるような場合に比べて、微粉砕領域を十分に確保することで、バイオマスの微粉砕を確実にしている。
【００３７】
また、図３−１に示すように、この粉砕領域を確定する溝の形成距離Ｒ1と溝の形成されていない距離Ｒ2との関係は、テーブルライナ１４ｂの半径方向の長さをＲとした場合、以下のような関係とするのが好ましい。但し、バイオマス性状により変化することもある。
１／２Ｒ≧Ｒ1≧Ｒ2＞１／３Ｒ
【００３８】
また、図３−２及び図３−３に示すように、このテーブル溝３１は溝基点（内周部）３１ｂから先端（外周部）３１ａにかけて徐々に幅が狭くなり且つ切り込み深さが浅くなるようにしている。
図３−２及び図３−３において、Ａ1−Ａ1断面の溝が一番深く且つ幅が広い溝であり、Ａ2−Ａ2断面の溝が中位の深さと幅の溝であり、Ａ3−Ａ3断面の溝が一番浅く且つ幅が狭い溝である。
【００３９】
また、図３−１に示すように、放射状に伸びるテーブル溝３１は、傾斜角αをもって、テーブルの放射線に対しテーブルの回転方向になだらかに傾斜しているのがより好ましい。
【００４０】
また、図３−３に示すように、このテーブル溝３１の形状はテーブル移動方向の溝面３１ｃはなだらかに傾斜し、反対側の溝面３１ｄは略鉛直面に傾斜し、テーブル面に対し略直角三角形に近い形状としている。
この結果、図４に示すように、粉砕ローラ１６により押圧した場合における、バイオマス原料１１の良好な剪断がなされることとなる。
【００４１】
さらに、図３−４に示すように、このテーブル溝３１の断面形状は略直角三角形以外に、溝基点３１ｂ側において溝断面形状をＶ字状とせず、溝底部３１ｅを設けており、溝の受け入れ許容度を大として、より大きなバイオマス原料１１の粉砕を可能としてもよい。
【実施例２】
【００４２】
本発明による実施例２に係るバイオマス粉砕装置について、図面を参照して説明する。図５は、本実施例に係るバイオマス粉砕装置のテーブルライナと粉砕ローラとの概略構成図である。図６−１〜図６−３は、ローラ溝の一例を示す概念図であり、図６−１は粉砕ローラの正面図、図６−２はその平面図、図６−３は図６−２の溝の部分断面図である。
図５及び図６−１〜図６−３に示すように、本実施例に係るバイオマス粉砕装置に適用する粉砕ローラ１６Ａは、その外面に複数のローラ溝４１が形成されている。
このローラ溝４１はテーブルライナ１４ｂの内周面に対応するローラ小径部の端を基点４１ａとし、溝の先端４１ｂは、ローラの中心部付近まで延びている。
【００４３】
また、図６−２及び図６−３に示すように、このローラ溝４１は基点（内周部）４１ａから先端（外周部）４１ｂにかけて徐々に幅が狭くなり且つ切り込み深さが浅くなるようにしている。
図６−２及び図６−３において、Ｂ1−Ｂ1断面の溝が一番深く且つ幅が広い溝であり、Ｂ2−Ｂ2断面の溝が中位の深さと幅の溝であり、Ｂ3−Ｂ3断面の溝が一番浅く且つ幅が狭い溝である。
【００４４】
なお、ローラ溝４１の入口側の幅および深さは原料の大きさで変更してよい。
溝の本数、長さについては原料の切断の難易度等により適宜変更するようにしてよい。また、溝の形状については粉砕ローラ１６Ａの形状、寸法、材料種類により変更可能である。
【００４５】
また、図６−１に示すように、放射状に伸びるローラ溝４１は、傾斜角βをもって、ローラの放射線に対し粉砕ローラ１６の回転方向と異なる方向に傾斜しているのがより好ましい。また、この傾斜角βは、テーブルライナ１４ｂの傾斜角αより大きいほどその剪断力が向上するので好ましいものとなる。
【００４６】
また、ローラ溝４１の形状は、図６−３に示すようにテーブルライナ１４ｂの溝形状とは異なるものとしている。
すなわちバイオマス原料の噛み込み方向はなだらかな傾斜面４１ｃとし反対側の面は垂直に近い略鉛直４１ｄとしている。
これにより、傾斜面４１ｃは切断した原料がテーブル外周側に移動するのを促進することとなる。なお、溝の傾斜角については材料種類、性状により変更可能である。
【００４７】
本発明では、粉砕テーブル１４の粗粉砕領域２４Ａ（内周部）で溝による剪断作用によって切断され、その後粉砕ローラ１６とテーブルライナ１４ｂの圧縮力により粉砕可能なようにテーブル外周部は平滑な構造となっているので、バイオマスの微粉化に際して効率的な力が働くため、木質バイオマスの組織は分断されることとなる。
【００４８】
このような、粉砕テーブル１４のテーブルライナ１４ｂにテーブル溝３１を形成すると共に、粉砕ローラ１６側にローラ溝４１を形成したバイオマス粉砕装置での粉砕について説明する。
先ず、供給されたバイオマス原料１１は、粉砕テーブル１４の中央部に投入される。
このバイオマス原料１１には、分級器１９により分離され、更に微粒化する必要がある粗流が混在する。
原料はテーブルの回転による遠心力によりテーブルに移動し大きい原料はテーブルライナ１４ｂに形成されたテーブル溝３１に入る。
また、粉砕ローラ１６の外周面に形成されたローラ溝４１には、テーブル溝３１の溝部に挟まれた大きい粒子は両者の溝の鋭角面同士に噛み込まれ切断されながら外周部に移動する。
外周部に移動するに従いバイオマス原料１１は細粒化するのでテーブル溝３１及びローラ溝４１の溝幅及び深さは徐々に減少させ、微粉化を促進させる。
粗粒粉砕領域２４Ａで粗粉に分断された木質バイオマスは、微粉砕領域２４Ｂの下流側（ミル外周部）に移動する。この部分は粉砕ローラ１６とテーブルライナ１４ｂとには溝が形成されておらず、しかも両者の隙間を小さく設定することで、噛み込んだ原料に圧縮力が生じ、所望粒径に微粉砕することとなる。
【００４９】
図７−１及び図７−２は本実施例に係る他のローラ溝の溝形状の斜視図である。
図７−１及び図７−２に示すように、ローラ溝４１の断面形状は略直角三角形以外に、基点４１ａ側において溝断面形状をＶ字状とせず、溝底部４１ｅを設けており、溝の受け入れ許容度を大として、より大きなバイオマス原料１１の粉砕を可能としてもよい。
ここで、図７−１に示すローラ溝４１Ａは溝ピッチを小さくしており、図７−２に示すローラ溝４１Ｂは溝ピッチの幅を大きくしている。
この結果、粉砕テーブル１４のテーブルライナ１４ｂに対して粉砕ローラ１６を押圧した場合における、バイオマス原料１１の良好な剪断がなされることとなる。
【００５０】
木質バイオマスは圧縮性があり且つ水分を多く含んでおり、通常の石炭ミルでは粉砕能力が著しく低下する。本発明のように、テーブルライナ１４ｂの内周部にテーブル溝３１を形成すると共に、粉砕ローラ１６の外周の先端側にローラ溝４１を形成し、さらに、溝の幅及び深さを除除に狭めるようにしているので、導入された木質バイオマスの大きいサイズの原料はこの溝により捕捉されテーブルライナ１４ｂと粉砕ローラ１６の溝部の鋭角端部で切断され細粒化されつつ外周部に移動し外周部で微粉化される。
この結果、木質バイオマスはより効率的に粉砕できることとなる。
【実施例３】
【００５１】
本発明による実施例３に係るボイラ火炉を備えたバイオマス・石炭混焼システムについて、図面を参照して説明する。図８は、本実施例に係るボイラ火炉を備えたバイオマス・石炭混焼システムの概略図である。
図８に示すように、本実施例に係るボイラ火炉を備えたバイオマス・石炭混焼システムに上述したバイオマス粉砕装置１０を適用したものである。図８に示すように、本実施例に係るバイオマス・石炭混焼システムは、必要に応じて所定粒径以下まで一次破砕（粗破砕）、乾燥されたバイオマス固形物であるバイオマス原料１１が貯蔵されるバイオマス貯蔵設備４０と、バイオマス原料１１が供給されるホッパ４１を備えたバイオマス粉砕装置４２と、石炭５０を受け入れるホッパ５１ａ、５１ｂを備えた石炭粉砕装置５２ａ、５２ｂと、バイオマス粉砕装置１０にて得られたバイオマス粉体１７及び石炭粉砕装置５２ａ、５２ｂにて得られた石炭粉体５３が供給されるボイラ火炉６０と、を備える。
木屑等のバイオマス原料１１はある程度大きさを揃えバイオマスチップとしてバイオマス貯蔵設備４０に貯蔵され、その後、バイオマスホッパ４１に供給される。バイオマスチップは、バイオマスホッパ４１からバイオマス粉砕装置１０に供給され、粉砕テーブル１４と粉砕ローラ１６とにより粉砕される。粉砕後のバイオマス粉砕物および石炭粉砕物はボイラ火炉６０に供給され、ボイラ火炉６０内でバイオマス粉体と石炭粉体が混合して燃焼するようになっている。
【００５２】
ボイラ火炉６０の炉本体３１には、燃料供給ノズルとこれに共働するバーナが配設されている。燃焼により発生した燃焼排ガスは、炉内に配設された伝熱管６１を加熱して煙道へ送られる。炉本体の炉出口に設けた煙道の途中には空気加熱器（ＡＨ）６２が配置され、空気加熱器６２を通った燃焼排ガスは、灰捕集装置等の排ガス処理設備（図示せず）を経て大気放出される。
空気加熱器６２によって外気６３を加熱して生成した高温空気６４は石炭粉砕装置５２ａ、５２ｂに供給され、石炭の乾燥に用いられる。また燃焼排ガスの一部６５は、誘引ファン６６によりバイオマス粉砕装置１０に供給され、バイオマスの分級、乾燥に用いられる。
【００５３】
このように本発明に係るバイオマス粉砕装置を備えたシステムとすることで、バイオマス粉砕が良好となるので、その粉砕物を燃焼装置に直接導入して燃焼させる場合においても、燃焼性能を低下させることなく安定燃焼が可能である。
また、押込みガスの全体量は従来と変化することがないので、一次空気の変動がなく、燃焼設備にて必要とされる空気量の範囲内で、バイオマス粉砕装置を安定して運転することが可能である。
【産業上の利用可能性】
【００５４】
以上のように、本発明に係るバイオマス粉砕装置によれば、バイオマス原料を効率的に且つ安定的に粉砕することができる。
【符号の説明】
【００５５】
１０  バイオマス粉砕装置
１１  バイオマス原料
１２  原料供給管
１３  粉砕装置本体
１４  粉砕テーブル
１５  駆動部
１６  粉砕ローラ
１７  バイオマス粉体
１８  搬送ガス
１９  分級器
３１  テーブル溝
４１  ローラ溝
【図１】
0005645469.tif 000002
【図２】
0005645469.tif 000003
【図３−１】
0005645469.tif 000004
【図３−２】
0005645469.tif 000005
【図３−３】
0005645469.tif 000006
【図３−４】
0005645469.tif 000007
【図４】
0005645469.tif 000008
【図５】
0005645469.tif 000009
【図６−１】
0005645469.tif 000010
【図６−２】
0005645469.tif 000011
【図６−３】
0005645469.tif 000012
【図７−１】
0005645469.tif 000013
【図７−２】
0005645469.tif 000014
【図８】
0005645469.tif 000015